(57)【特許請求の範囲】
【請求項１】
所定エリア内の複数の廃棄物集積所を巡回し廃棄物を収集する塵芥収集車の運行管理システムにおいて、
上記塵芥収集車が特定の廃棄物集積所に停車して廃棄物を収集する際、該廃棄物を収集する廃棄物集積所が、単独の廃棄物集積所で形成された第１の廃棄物集積所であるか、略同一の場所にある複数の廃棄物集積所を集合させて一つの廃棄物集積所として形成された第２の廃棄物集積所であるかを判定する判定手段と、
上記判定手段による判定の結果、上記廃棄物を収集する廃棄物集積所が上記第２の廃棄物集積所である場合は、該第２の廃棄物集積所を形成する複数の廃棄物集積所を付帯情報として表示させる表示手段とを備え、
上記表示手段により表示される各廃棄物集積所は、各廃棄物集積所の廃棄物収集を行う毎に該収集を行った廃棄物集積所の廃棄物の計測を可能にして、該収集が終了したら表示を削除することを特徴とする塵芥収集車の運行管理システム。
【発明の詳細な説明】
【技術分野】
【０００１】
本発明は、複数の廃棄物集積所を巡回し廃棄物を収集する塵芥収集車の運行管理システムに関する。
【背景技術】
【０００２】
一般に、店舗や企業等において生じる事業系一般廃棄物や一般家庭で生じる廃棄物（以下、単に廃棄物と称する）は、予め定められた廃棄物集積所（以下、ステーションと称する）に集められ、例えば、予め契約している廃棄物収集業者（以下、単に収集業者と称する）の塵芥収集車によって収集される。塵芥収集車は、通常、所定エリア内の膨大な数のステーションを定期的に巡回し、各ステーションにおいては、車両に同行する作業員が、収集した廃棄物を計量し、計量した重量に基づき請求書伝票等を作成している。
【０００３】
例えば、特開２００１−１６３４０３号公報では、緯度・経度で示される位置に設けられた廃棄物の収集場所のコンテナ装置に、廃棄物の重量を計測する装置と、計測した重量をセンタ装置に送信する送信装置とを設け、センタ装置で、塵芥収集車側で計測した残積載量と各収集場所からの廃棄物の重量とを比較して収集すべき次の収集場所情報を算出し、塵芥収集車に通知する技術が開示されている。
【特許文献１】特開２００１−１６３４０３号公報
【発明の開示】
【発明が解決しようとする課題】
【０００４】
ところで、ステーションの中には、一つ一つが単独のステーションもあるが、特に、商店街や総合ショッピングセンタ等では、複数の店舗のステーション（以下、部分ステーションと称す）が一カ所に集約されて集合ステーションとして構成されている場合がある。こうした場合、１つの集合ステーションでは、一つ一つの店舗毎に、その店舗の部分ステーションの廃棄物を計測し、料金の計算、伝票の作成等を行う必要がある。しかしながら、上述の特許文献１では、こうした集合ステーションに対応するのは難しく、対応しようとした場合、１つの集合ステーションに各部分ステーションの廃棄物の計測ができるようように複数のコンテナ装置、計測装置等を設けなければならないという問題がある。
【０００５】
本発明は上記事情に鑑みてなされたもので、たとえ集合ステーションのような複数のステーションの集合体が存在する場合であっても廃棄物の収集とそれに伴う作業に適切に対応することができ、収集作業を効率良く行うことが可能な塵芥収集車の運行管理システムを提供することを目的としている。
【課題を解決するための手段】
【０００６】
本発明の一態様による塵芥収集車の運行管理システムは、所定エリア内の複数の廃棄物集積所を巡回し廃棄物を収集する塵芥収集車の運行管理システムにおいて、上記塵芥収集車が特定の廃棄物集積所に停車して廃棄物を収集する際、該廃棄物を収集する廃棄物集積所が、単独の廃棄物集積所で形成された第１の廃棄物集積所であるか、略同一の場所にある複数の廃棄物集積所を集合させて一つの廃棄物集積所として形成された第２の廃棄物集積所であるかを判定する判定手段と、上記判定手段による判定の結果、上記廃棄物を収集する廃棄物集積所が上記第２の廃棄物集積所である場合は、該第２の廃棄物集積所を形成する複数の廃棄物集積所を付帯情報として表示させる表示手段とを備え、上記表示手段により表示される各廃棄物集積所は、各廃棄物集積所の廃棄物収集を行う毎に該収集を行った廃棄物集積所の廃棄物の計測を可能にして、該収集が終了したら表示を削除するものである。
【発明の効果】
【０００７】
本発明による塵芥収集車の運行管理システムによれば、たとえ集合ステーションのような複数のステーションの集合体が存在する場合であっても廃棄物の収集とそれに伴う作業に適切に対応することができ、収集作業を効率良く行うことが可能となる。
【発明を実施するための最良の形態】
【０００８】
以下、図面に基づいて本発明の実施の形態を説明する。  
図１〜図７は本発明の実施の一形態を示し、図１は塵芥収集車の運行管理システムの全体構成の概略説明図、図２は運行管理システムの塵芥収集車における機能ブロック図、図３は一台の塵芥収集車が廃棄物収集作業を行う工程を示すフローチャート、図４は通常ステーションにおける収集計測処理ルーチンのフローチャート、図５は集合ステーションにおける収集計測処理ルーチンのフローチャート、図６は集合ステーションの一例を示す説明図、図７は集合ステーション付帯情報表示の説明図である。
【０００９】
図１において、符号１００は運行管理システムを示し、この運行管理システム１００は、該システム１００を管理する運行管理センタ１と、この運行管理センタ１の下で、所定エリアＡを巡回し、複数のステーション２０の廃棄物を収集する一台または複数台の塵芥収集車１０とから主要に構成される。
【００１０】
塵芥収集車１０は、複数（例えば、４つ）のＧＰＳ（Global Positioning System）衛星３０から定期的に電波を受信して現在の車両位置を測位し、その緯度・経度情報等の測位データを、データ通信網Ｎを介し、運行管理センタ１に送信する。
【００１１】
運行管理センタ１においては、センタ装置１ａ（例えば、サーバシステム）が設けられ、このセンタ装置１ａにより塵芥収集車１０との通信制御がなされ、また、塵芥収集車１０の作業に係るデータが一元管理されるように構成されている。すなわち、センタ装置１ａは、塵芥収集車１０から送信されたデータを受信するためのセンタ側通信部１ｂと、受信したデータを記録するための記録部１ｃとを備えている。
【００１２】
塵芥収集車１０は、図２に示すように、車両運転室であるキャビン１０ａ内に車載器１１を搭載し、この車載器１１が周辺機器の動作を制御するように構成されている。
【００１３】
キャビン１０ａにおいては、上述のＧＰＳ衛星３０からの電波を受信し、車両の緯度・経度を測位するＧＰＳ受信機１２と、運行管理センタ１とデータ通信網Ｎを介して通信するためのデータ通信機１３とが設けられ、それぞれ車載器１１に接続されている。尚、データ通信網Ｎとしては、例えば既存の携帯電話網やインターネット網を適用することができ、データ通信の方式としてはパケット交換方式が好ましい。
【００１４】
また、キャビン１０ａにおいて、車載器１１には、各種データを記録し、電源供給がとぎれても記録内容が消滅しない記憶媒体（例えば、Compact Flash（登録商標）カード等の不揮発メモリ）１４とプリンタ１５とが接続されている。尚、記憶媒体１４は、抜き差し自在であり、運行管理センタ１のセンタ装置１ａによってもデータの読み出し、及び、書き込みが可能になっている。
【００１５】
記憶媒体１４には、所定エリアＡ内の全てのステーション情報（ステーション名（集積所名）、各ステーション固有のＩＤナンバー、緯度・経度データ等）がステーションリスト（全体リスト）として予め記録されている。
【００１６】
また、記憶媒体１４のステーションリストには、当該ステーションが単独のステーションか、或いは、複数の店舗のステーション（部分ステーション）が一カ所に集約された集合ステーションかが記録されており、集合ステーションの場合には、その集合ステーションの付帯情報も記録されている。
【００１７】
例えば、図６（ａ）に示すように、通りに面した商店街の場合、店舗Ｘ１、Ｘ２、Ｘ３は、これら店舗の共通の廃棄物集積所として集合ステーションＸが一カ所設定されている。或いは、図６（ｂ）に示すように、総合ショッピングセンタの場合では、店舗Ｘ１、Ｘ２、Ｘ３は、これら店舗の共通の廃棄物集積所として集合ステーションＸが一カ所設定されている。
【００１８】
そして、集合ステーションＸは、図７に示すように、当初、後述する操作盤１７のディスプレイ１７ａ上に、単独ステーションＹ、Ｚ、Ｖと共に表示されるが、作業者により集合ステーションの特定が行われると、その集合ステーションの付帯情報が表示され、当該集合ステーションを構成する各店舗のステーション（部分ステーション）Ｘ１、Ｘ２、Ｘ３の表示が行われ、更に、「その他」の項目も表示されるようになっている。尚、この「その他」の項目表示は、何れの部分ステーションにも該当しない廃棄物を収集する際を考慮して設けられているものである。
【００１９】
また、記憶媒体１４には、全てのステーション（部分ステーションも含む）毎に、収集作業の度に収集履歴データが記録されている。
【００２０】
上述の収集履歴データとは、日時情報、収集した廃棄物の計量結果、緯度・経度データ（上述の平均値）、ステーション名、ステーション固有のＩＤナンバー、車載器１１固有の情報としての電話番号、データ通信網Ｎの圏内か否かを識別するフラグ（データ通信圏識別フラグ）等である。尚、全体リストは、緯度又は経度を基準としてソートした状態で記憶されている。
【００２１】
収集履歴データの車載器１１の電話番号は、運行管理センタ１において、管理すべき収集履歴データがどの車載器１１（塵芥収集車１０）のものであるのかを特定するのに用いられる。すなわち、例えば、複数の塵芥収集車１０から持ち込まれた複数の記憶媒体１４が、どの車載器１１のものであるのかを、それぞれ特定する場合に、その中に記録された電話番号データを参照することにより容易に特定することができる。
【００２２】
また、収集履歴データのデータ通信圏識別フラグは、塵芥収集車１０による所定エリアＡの巡回が終了し、運行管理センタ１のセンタ装置１ａによって記憶媒体１４の内容が読み出された際に、どのステーション２０が通信圏外で通信できず、収集履歴の更新がなされていないのかを選別するために用いられる。
【００２３】
更に、プリンタ１５は、各ステーション２０において収集した廃棄物の重量と、その重量に基づき換算した請求額とを印字し、請求書として出力するために設けられている。
【００２４】
車両後部１０ｂには、それまでに集積した廃棄物の総重量（現在の積載総重量）と、各ステーションで収集した廃棄物の重量（各ステーションにおける廃棄物の収集量）を計量することが可能な自重計１６が設けられている。具体的には、ステーションにおいて廃棄物の収集が行われ、自重計１６による計測が行われると、現在の積載総重量を計測し、この現在の積載総重量から前回までの積載総重量を減算することにより、現ステーションにおける廃棄物の収集量が演算される。
【００２５】
そして、自重計１６は、計量した重量値を表示するディスプレイ１６ａと、計量開始とプリンタ１５での印刷開始とを指示するための計量開始ボタン１６ｂとを有している。
【００２６】
また、自重計１６は、車載器１１と接続され、計量開始ボタン１６ｂを押すことにより、計量結果が日時情報、ステーション名、ステーション固有のＩＤナンバー、緯度・経度データ等と共に、収集履歴データとして記憶媒体１４に記録され、同時にデータ通信機１３により運行管理センタ１に送信される。尚、計量結果が記憶媒体１４に記録される際には、車載器固有の情報としての電話番号、データ通信圏識別フラグも収集履歴データとして同時に記録される。
【００２７】
すなわち、各ステーション２０において清掃作業員が廃棄物を収集し、計量開始ボタン１６ｂを押すことにより計量が開始され、計量結果である廃棄物重量、それに基づく請求金額等がプリンタ１５で印刷される。また同時に、収集した廃棄物の重量を含む収集履歴データが記憶媒体１４に記録され、データ通信可能であれば運行管理センタ１に送信される。このように、自重計１６は、計測手段として設けられている。
【００２８】
また、車両後部１０ｂには、操作盤１７が設けられている。この操作盤１７は、車両周辺の複数（例えば、４箇所）のステーション名を表示するための表示手段としてのディスプレイ１７ａと、表示されたステーション名のリストの中から作業員が現在のステーションを選択し、特定するための操作ボタン１７ｂとを有している。
【００２９】
この操作盤１７は、車載器１１に接続され、操作ボタン１７ｂの操作により選択されたステーション名が現在収集作業を行うステーション（現ステーション）２０の名前として特定され、車載器１１に出力される。こうして、操作盤１７で作業員により選択されたステーション名は、収集履歴データ中のステーション名としてプリンタ１５、記憶媒体１４、運行管理センタ１に出力される。
【００３０】
すなわち、後述するように、操作盤１７により現ステーションが特定されると、車載器１１は記憶媒体１４を参照し、当該ステーションが通常のステーションか、集合ステーションかを判別し、通常のステーションの場合は、清掃作業員が廃棄物を収集し、計量開始ボタン１６ｂを押すことにより計量が開始され、計量結果である廃棄物重量、それに基づく請求金額等がプリンタ１５で印刷される。また同時に、収集した廃棄物の重量を含む収集履歴データが記憶媒体１４に記録され、データ通信可能であれば運行管理センタ１に送信される。一方、当該ステーションが集合ステーションの場合は、作業者により集合ステーションの特定が行われると、その集合ステーションの付帯情報が表示され、当該集合ステーションを構成する部分ステーションＸ１、Ｘ２、Ｘ３の表示が行われる。作業者は、この集合ステーション付帯情報の中から該当する部分ステーションを選択し、廃棄物収集を行って、計量開始ボタン１６ｂを押すことにより計量を開始し、計量結果である廃棄物重量、それに基づく請求金額等がプリンタ１５で印刷される。また同時に、収集した廃棄物の重量を含む収集履歴データが記憶媒体１４に記録され、データ通信可能であれば運行管理センタ１に送信される。尚、この処理は、集合ステーションを構成する全ての部分ステーション毎に行われる。このように、車載器１１は判定手段としての機能を有して構成されている。
【００３１】
尚、作業員が、収集作業を中断し、各ステーションの巡回を中断する場合は、操作盤１７の操作ボタン１７ｂが押され、中断したことを示す信号が記憶媒体１４、運行管理センタ１に出力される。
【００３２】
また、塵芥収集車１０には、車両情報出力手段１８が設けられ、車載器１１には、この車両情報出力手段１８から、車速情報、サイドブレーキ情報、エンジン回転数等の車両情報が入力される。そして、車載器１１は、車両情報出力手段１８からの車両情報に基づいて、車両が停車したか否かを判断する。
【００３３】
次に、上述のように構成された運行管理システム１００において、一台の塵芥収集車１０が所定エリアＡを巡回し、廃棄物収集作業を行う工程の一例を、図３のフローチャートに基づいて説明する。
【００３４】
まず、ステップ（以下、「Ｓ」と略称）１０１では、車載器１１は、ＧＰＳ受信機１２によりＧＰＳ測位を行い、得られた車両の緯度・経度の測位データを、データ通信網Ｎを介して運行管理センタ１のセンタ装置１ａに送信する。これにより、運行管理センタ１では、各塵芥収集車１０がどの地点にいるのか常時把握できる。
【００３５】
次いで、Ｓ１０２に進み、車載器１１は、車両情報出力手段１８からの入力情報に基づいて車両が停車したか否か判定し、車両が停車していないのであれば、Ｓ１０１の処理を繰り返し、車両が停車しているのであれば、Ｓ１０３に進んで、その地点の測位を行う。
【００３６】
次に、Ｓ１０４に進むと、車載器１１は、自車両からの距離が近い所定の数のステーション２０（ステーション名、緯度・経度情報）をステーションリストから抽出し、自車両からの距離に従いソートするステーション候補抽出処理を行って、操作盤１７のディスプレイ１７ａに表示する。すなわち、ディスプレイ１７ａには、現在収集作業を行うステーション２０の名前が候補として一番上に表示される。
【００３７】
次いで、Ｓ１０５に進み、塵芥収集車１０の作業員は、現在位置のステーション２０が、ディスプレイ１７ａ中の一番上に表示されている名前のものと同一か否かを判断し、異なる場合は、Ｓ１０６に進んで、ディスプレイ１７ａに表示されている、その他のステーション候補の中から正しいステーションを選択し、操作ボタン１７ｂによりステーション名を特定する。
【００３８】
また、現在位置のステーション２０が、ディスプレイ１７ａ中の一番上に表示されている名前のものと同一の場合は、Ｓ１０７に進み、そのステーションを確認して特定する。
【００３９】
尚、Ｓ１０６、或いは、Ｓ１０７においてステーションの特定が行われる前に車両が走行し始めた場合は、再度、Ｓ１０１からの処理を繰り返す。
【００４０】
Ｓ１０６、或いは、Ｓ１０７においてステーションの特定が行われると、Ｓ１０８に進み、車載器１１は、記憶媒体１４を参照し、特定されたステーションが集合ステーションか否かを判別する。そして、この判別の結果、特定されたステーションが集合ステーションではない、すなわち通常のステーションの場合は、Ｓ１０９に進み、後述する通常ステーションにおける収集計測処理を実行する。また、集合ステーションの場合は、Ｓ１１０に進み、後述する集合ステーションにおける収集計測処理を実行する。
【００４１】
Ｓ１０９、或いは、Ｓ１１０で収集計測処理を実行した後は、Ｓ１１１に進み、車載器１１は、現ステーション位置がデータ通信網Ｎの圏内であるかを判断し、通信可能であれば、Ｓ１１２に進んで、車載器１１は、データ通信網Ｎを介して運行管理センタ１に収集履歴データ（日時情報、ステーション名、各ステーション固有のＩＤナンバー、緯度・経度データ、収集廃棄物の計量結果（現在の積載総重量、現ステーションにおける廃棄物の収集量））等を送信する。そして、運行管理センタ１のセンタ装置１ａでは、送信された車載器１１の電話番号に基づいて塵芥収集車１０を特定し、受信した収集履歴データを記録する。
【００４２】
Ｓ１１２の後は、Ｓ１１３に進み、送信した収集履歴データを記憶媒体１４に記録する。尚、その際には、運行管理センタ１に送信した上述の信号に加え、車載器固有の情報としての電話番号、データ通信圏識別フラグも記録される。
【００４３】
また、Ｓ１１１の判定の結果、データ通信網Ｎの圏外と判定された場合、車載器１１は、上述の信号を運行管理センタ１に送信せずに、Ｓ１１３に進んで、上述の信号を記憶媒体１４に記録する。その際、データ通信圏識別フラグは圏外を示す状態で記録される。
【００４４】
Ｓ１１３の後は、Ｓ１１４に進み、作業者により、何らかの理由（例えば、過積載等）で巡回中断の信号が操作盤１７を介して入力されているか否か判断し、巡回中断の信号が入力されている場合には、そのまま処理を終了する。
【００４５】
また、Ｓ１１４の判定の結果、巡回中断の信号が入力されていないのであれば、Ｓ１１５に進み、所定エリアＡ内の全てのステーション２０を巡回したか否か判定され、全てのステーション２０を巡回していないのであれば、再び、Ｓ１０１からの処理を繰り返し、全てのステーション２０を巡回したのであれば、Ｓ１１６へと進む。
【００４６】
そして、Ｓ１１５で、全てのステーションを巡回したと判定されてＳ１１６へと進むと、廃棄物処理場等で、積載してきた廃棄物の排出を行った際にセットされる排出完了フラグがセットされることの確認が繰り返し実行され、排出完了フラグがセットされた場合はプログラムを抜ける。
【００４７】
次に、上述のＳ１０９で実行される通常ステーションにおける収集計測処理ルーチンについて、図４のフローチャートで説明する。  
まず、Ｓ２０１では、作業員による廃棄物の収集が行われ、Ｓ２０２に進んで、自重計１６の計量開始ボタン１６ｂが押されて、現在の積載総重量Ｍｉが計測される。
【００４８】
次に、Ｓ２０３に進み、自重計１６は、現在の積載総重量Ｍｉから前回までの積載総重量を減算することにより、現ステーションにおける廃棄物の収集量ΔＭｉを演算する。
【００４９】
そして、Ｓ２０４に進み、自重計１６は、現在の積載総重量Ｍｉ、現ステーションにおける廃棄物の収集量ΔＭｉをディスプレイ１６ａに表示すると共に車載器１１に出力し、車載器１１は、プリンタ１５に、現ステーションで収集した廃棄物の重量と、それに基づいて算出した請求金額等を所定用紙（請求書伝票）に印刷して、ルーチンを抜ける。
【００５０】
尚、現ステーションにおいて収集すべき廃棄物が全く無い場合には、自重計１６において、作業員の所定の操作により収集物が無い旨が入力され、計量開始ボタン１６ｂが押される。これにより強制的に廃棄物重量が値０になされる。すなわち、廃棄物を車両に収集せずに計量開始ボタン１６ｂを押した場合には、それまでに集積した廃棄物の総重量の経時変化等により、計量結果として値が０にならない虞があり、これを強制的に０とすることで誤請求等を防止することができる。
【００５１】
次に、上述のＳ１１０で実行される集合ステーションにおける収集計測処理ルーチンについて、図５のフローチャートで説明する。  
まず、Ｓ３０１では、操作盤１７のディスプレイ１７ａに、当該集合ステーションの付帯情報が表示され、例えば、図７に示すように、当該集合ステーションを構成する部分ステーションＸ１、Ｘ２、Ｘ３と、「その他」の表示が行われる。
【００５２】
次いで、Ｓ３０２に進み、作業員は、集合ステーション付帯情報から部分ステーションを選択する。
【００５３】
次に、Ｓ３０３に進み、作業員は、部分ステーションの廃棄物を収集し、Ｓ３０４に進んで、自重計１６の計量開始ボタン１６ｂが押されて、現在の積載総重量Ｍｉが計測される。
【００５４】
次いで、Ｓ３０５に進み、自重計１６は、現在の積載総重量Ｍｉから前回までの積載総重量を減算することにより、現在の部分ステーションにおける廃棄物の収集量ΔＭpiを演算する。
【００５５】
次に、Ｓ３０６に進んで、自重計１６は、現在の積載総重量Ｍｉ、現在の部分ステーションにおける廃棄物の収集量ΔＭpiをディスプレイ１６ａに表示すると共に車載器１１に出力し、車載器１１は、プリンタ１５に、現在の部分ステーションで収集した廃棄物の重量と、それに基づいて算出した請求金額等を所定用紙（請求書伝票）に印刷する。
【００５６】
次いで、Ｓ３０７に進み、収集を完了した部分ステーションが、操作盤１７のディスプレイ１７ａの集合ステーション付帯情報から削除される。
【００５７】
そして、Ｓ３０８に進み、ディスプレイ１７ａの集合ステーション付帯情報に残る部分ステーションの数が０になったか否か判定し、０になったのであれば、そのままプログラムを抜ける。また、集合ステーション付帯情報に残る部分ステーションの数が０ではない場合はＳ３０９に進み、集合ステーションの収集が完了したか否か判定される。この判定は、例えば、車両情報出力手段１８からの車両情報に基づいて、塵芥収集車１０が走行を開始したと判断できる場合に、集合ステーションの収集が完了と判定する。
【００５８】
このＳ３０９の判定の結果、集合ステーションの収集が完了したと判定した場合は、Ｓ３１０に進み、集合ステーション付帯情報に残る部分ステーション（「その他」も含む）の収集量を０に設定し（０処理し）、プログラムを抜ける。また、未だに集合ステーションの収集が完了していない場合は、Ｓ３０２からの処理を繰り返す。このように、「その他」の項目を設けておくことにより、どの部分ステーションにも属さない廃棄物を収集した場合は、その廃棄物の収集量が各部分ステーションの収集量とは別に、「その他」の項目に分類されて計測されるため、各部分ステーションの収集量を正確に計測することができる。
【００５９】
このように本発明の実施の形態によれば、現ステーションが特定されると、車載器１１は記憶媒体１４を参照し、当該ステーションが通常のステーションか、集合ステーションかを判別し、通常のステーションの場合は、清掃作業員が廃棄物を収集し、計量開始ボタン１６ｂを押すことにより計量が開始され、計量結果である廃棄物重量、それに基づく請求金額等がプリンタ１５で印刷される。一方、当該ステーションが集合ステーションの場合は、作業者により集合ステーションの特定が行われると、その集合ステーションの付帯情報が表示され、当該集合ステーションを構成する部分ステーションＸ１、Ｘ２、Ｘ３の表示が行われる。作業者は、この集合ステーション付帯情報の中から該当する部分ステーションを選択し、廃棄物収集を行って、計量開始ボタン１６ｂを押すことにより計量を開始し、計量結果である廃棄物重量、それに基づく請求金額等がプリンタ１５で印刷される。このため、たとえ集合ステーションのような複数のステーションの集合体が存在する場合であっても廃棄物の収集とそれに伴う作業に適切に対応することができ、収集作業を効率良く行うことが可能となる。
【図面の簡単な説明】
【００６０】
【図１】塵芥収集車の運行管理システムの全体構成の概略説明図
【図２】運行管理システムの塵芥収集車における機能ブロック図
【図３】一台の塵芥収集車が廃棄物収集作業を行う工程を示すフローチャート
【図４】通常ステーションにおける収集計測処理ルーチンのフローチャート
【図５】集合ステーションにおける収集計測処理ルーチンのフローチャート
【図６】集合ステーションの一例を示す説明図
【図７】集合ステーション付帯情報表示の説明図
【符号の説明】
【００６１】
１    運行管理センタ
１ａ  センタ装置
１ｂ  センタ側通信部
１ｃ  記録部
１０    塵芥収集車
１１    車載器（判定手段）
１２    ＧＰＳ受信機
１３    データ通信機
１４    記憶媒体
１５    プリンタ
１６    自重計（計測手段）
１６ａ  ディスプレイ
１６ｂ  計量開始ボタン
１７    操作盤
１７ａ  ディスプレイ（表示手段）
１７ｂ  操作ボタン
１８    車両情報出力手段
２０    ステーション（廃棄物集積所）
３０    ＧＰＳ衛星
１００    運行管理システム
Ａ    所定エリア
Ｎ    データ通信網
【図１】
0005054476.tif 000002
【図２】
0005054476.tif 000003
【図３】
0005054476.tif 000004
【図４】
0005054476.tif 000005
【図５】
0005054476.tif 000006
【図６】
0005054476.tif 000007
【図７】
0005054476.tif 000008